(57)【要約】  本発明は、現在の無線チャンネル特徴パラメータ、通信相手側の機器能力情報とシステム要求情報の中の少なくとも１つに基づいて、伝送プロセスにおいて異なる伝送に対して、リアルタイムでパイロットを配置すること、配置結果を通信相手側に送信することを含む無線通信システムにおけるパイロットの配置方法を開示する。本発明は、また相応なパイロットの配置装置を開示する。本発明によれば、パイロットはリアルタイムで配置でき、伝送信頼性の向上と通信品質の確保に資するとともに、パイロットのオーバーヘッドを削減することもでき、より多くのチャンネル環境とアプリケーションシーンに適用される。
2014510494.tif 000002
【特許請求の範囲】
【請求項１】
現在の無線チャンネル特徴パラメータ、通信相手側の機器能力情報とシステム要求情報の中の少なくとも１つに基づいて、伝送プロセスにおいて異なる伝送に対して、リアルタイムでパイロットを配置すること、
配置結果を通信相手側に送信することを含むことを特徴とする無線通信システムにおけるパイロットの配置方法。
【請求項２】
前記リアルタイムでパイロットを配置することは、
パイロットの時間領域密度を、現在の無線チャンネル特徴パラメータ、通信相手側の機器能力情報とシステム要求情報の中の少なくとも１つに対応するプリセット時間領域密度範囲内にあるように配置すること、及び／または、
パイロットの周波数領域密度を、現在の無線チャンネル特徴パラメータ、通信相手側の機器能力情報とシステム要求情報の中の少なくとも１つに対応するプリセット周波数領域密度範囲内にあるように配置することとを含むことを特徴とする請求項１に記載の方法。
【請求項３】
前記無線チャンネル特徴パラメータは、無線チャンネル相関帯域幅と無線チャンネル相関時間を含み、
無線チャンネル相関帯域幅が広いほど、対応するプリセット周波数領域密度範囲内の周波数領域密度が小さく、
無線チャンネル相関時間が長いほど、対応するプリセット時間領域密度範囲内の時間領域密度が小さいことを特徴とする請求項２に記載の方法。
【請求項４】
前記通信相手側の機器能力情報は、周波数同期精度及び／またはサンプリング位相同期精度を含み、
周波数同期精度が高いほど、対応するプリセット時間領域密度範囲内の時間領域密度が小さく、かつ対応するプリセット周波数領域密度範囲内の周波数領域密度が小さく、
サンプリング位相同期精度が高いほど、対応するプリセット時間領域密度範囲内の時間領域密度が小さく、かつ対応するプリセット周波数領域密度範囲内の周波数領域密度が小さいことを特徴とする請求項２に記載の方法。
【請求項５】
パイロットの時間領域密度を、通信相手側の機器能力情報に対応するプリセット時間領域密度範囲内にあるように配置することは、パイロットの時間領域密度を、周波数同期精度とサンプリング位相同期精度の少なくとも１つに対応するプリセット時間領域密度範囲内にあるように配置することであり、
パイロットの周波数領域密度を、通信相手側の機器能力情報に対応するプリセット周波数領域密度範囲内にあるように配置することは、パイロットの周波数領域密度を、周波数同期精度とサンプリング位相同期精度の少なくとも１つに対応するプリセット周波数領域密度範囲内にあるように配置することであることを特徴とする請求項４に記載の方法。
【請求項６】
前記システム要求情報は変調フォーマットを含み、
変調オーダーが高いほど、対応するプリセット時間領域密度範囲内の時間領域密度が大きく、かつ対応するプリセット周波数領域密度範囲内の周波数領域密度が大きいことを特徴とする請求項２に記載の方法。
【請求項７】
前記システム要求情報はコーディング方式及び／またはコードレートを  さらに含み、
パイロットの時間領域密度を、システム要求情報に対応するプリセット時間領域密度範囲内にあるように配置した場合、さらに配置完成後にコーディング方式及び／またはコードレートに対応するプリセット時間領域調整値に基づいて、微調整を行い、
パイロットの周波数領域密度を、システム要求情報に対応するプリセット周波数領域密度範囲内にあるように配置した場合、さらに配置完成後にコーディング方式及び／またはコードレートに対応するプリセット周波数領域調整値に基づいて、微調整を行うことを特徴とする請求項６に記載の方法。
【請求項８】
前記システム要求情報は、変調フォーマット、コーディング方式とコードレートの中の少なくとも１つを含み、
変調オーダーが高いほど、対応するプリセット時間領域密度範囲内の時間領域密度が大きく、かつ対応するプリセット周波数領域密度範囲内の周波数領域密度が大きく、
コードワードエラー訂正能力が高いほど、対応するプリセット時間領域密度範囲内の時間領域密度が小さく、かつ対応するプリセット周波数領域密度範囲内の周波数領域密度が小さく、
コードレートが高いほど、対応するプリセット時間領域密度範囲内の時間領域密度が大きく、かつ対応するプリセット周波数領域領域内の周波数領域密度が大きいことを特徴とする請求項２に記載の方法。
【請求項９】
パイロットの時間領域密度を、システム要求情報に対応するプリセット時間領域密度範囲内にあるように配置することは、パイロットの時間領域密度を、変調オーダー、コードワードエラー訂正能力とコードレートの中の少なくとも１つに対応するプリセット時間領域密度範囲内にあるように配置することであり、
パイロットの周波数領域密度を、システム要求情報に対応するプリセット周波数領域密度範囲内にあるように配置することは、パイロットの周波数領域密度を、変調オーダー、コードワードエラー訂正能力とコードレートの中の少なくとも１つに対応するプリセット周波数領域密度範囲内にあるように配置することであること特徴とする請求項８に記載の方法。
【請求項１０】
パイロットの時間領域と周波数領域密度を配置する時、さらに、
リソースブロックにおいて、所定の直交周波数分割多重ＯＦＤＭシンボルを開始挿入位置と設定し、パイロットの時間領域密度配置結果に基づいて、挿入するパイロットのＯＦＤＭシンボルを確定してから、それぞれの挿入するパイロットのＯＦＤＭシンボルに対して、所定のサブキャリアを開始挿入位置とし、パイロットの周波数領域密度配置結果に基づいて、パイロットを挿入することを含むことを特徴とする請求項２に記載の方法。
【請求項１１】
パイロットの時間領域密度を配置する時、さらに、
リソースブロックにおいて、所定のＯＦＤＭシンボルを開始挿入位置と設定し、パイロットの時間領域密度配置結果に基づいて、挿入するパイロットのＯＦＤＭシンボルを確定してから、それぞれの挿入するパイロットのＯＦＤＭシンボルに対して、所定のサブキャリアでパイロットを挿入することを含むことを特徴とする請求項２に記載の方法。
【請求項１２】
パイロットの周波数領域密度を配置する時、さらに、
リソースブロックにおいて、所定のサブキャリアを開始挿入位置と設定し、パイロットの周波数領域密度配置結果に基づいて、挿入するパイロットのサブキャリアを確定してから、それぞれの挿入するパイロットのサブキャリアに対して、所定のＯＦＤＭシンボルでパイロットを挿入することを含むことを特徴とする請求項２に記載の方法。
【請求項１３】
配置結果を通信相手側に送信することは、具体的に、
通信相手側へ送信した信号にパイロット配置結果を示すための情報を担持すること、または、
制御チャンネルで通信相手側へパイロット配置結果を示すシグナリングを送信することを含むことを特徴とする請求項１に記載の方法。
【請求項１４】
現在の無線チャンネル特徴パラメータ、通信相手側の機器能力情報とシステム要求情報の中の少なくとも１つに基づいて、伝送プロセスにおいて異なる伝送に対して、リアルタイムでパイロットを配置する配置ユニットと、
前記配置ユニットの配置結果を通信相手側に送信する送信ユニットと含むことを特徴とする無線通信システムにおけるパイロットの配置装置。
【請求項１５】
前記配置ユニットは、
パイロットの時間領域密度を、現在の無線チャンネル特徴パラメータ、通信相手側の機器能力情報とシステム要求情報の中の少なくとも１つに対応するプリセット時間領域密度範囲内にあるように配置し、及び／または、
パイロットの周波数領域密度を、現在の無線チャンネル特徴パラメータ、通信相手側の機器能力情報とシステム要求情報の中の少なくとも１つに対応するプリセット周波数領域密度範囲内にあるように配置することを特徴とする請求項１４に記載の装置。
【請求項１６】
前記無線チャンネル特徴パラメータは、無線チャンネル相関帯域幅と無線チャンネル相関時間を含み、
無線チャンネル相関帯域幅が広いほど、対応するプリセット周波数領域密度範囲内の周波数領域密度が小さく、
無線チャンネル相関時間が長いほど、対応するプリセット時間領域密度範囲内の時間領域密度が小さいことを特徴とする請求項１５に記載の装置。
【請求項１７】
前記通信相手側の機器能力情報は、周波数同期精度及び／またはサンプリング位相同期精度を含み、
周波数同期精度が高いほど、対応するプリセット時間領域密度範囲内の時間領域密度が小さく、かつ対応するプリセット周波数領域密度範囲内の周波数領域密度が小さく、
サンプリング位相同期精度が高いほど、対応するプリセット時間領域密度範囲内の時間領域密度が小さく、かつ対応するプリセット周波数領域密度範囲内の周波数領域密度が小さいことを特徴とする請求項１５に記載の装置。
【請求項１８】
前記配置ユニットが、パイロットの時間領域密度を、通信相手側の機器能力情報に対応するプリセット時間領域密度範囲内にあるように配置することは、パイロットの時間領域密度を、周波数同期精度とサンプリング位相同期精度の少なくとも１つに対応するプリセット時間領域密度範囲内にあるように配置することであり、
前記配置ユニットが、パイロットの周波数領域密度を、通信相手側の機器能力情報に対応するプリセット周波数領域密度範囲内にあるように配置することは、パイロットの周波数領域密度を、周波数同期精度とサンプリング位相同期精度の少なくとも１つに対応するプリセット周波数領域密度範囲内にあるように配置することであることを特徴とする請求項１７に記載の装置。
【請求項１９】
前記システム要求情報は変調フォーマットを含み、
変調オーダーが高いほど、対応するプリセット時間領域密度範囲内の時間領域密度が大きく、かつ対応するプリセット周波数領域密度範囲内の周波数領域密度が大きいことを特徴とする請求項１５に記載の装置。
【請求項２０】
前記システム要求情報はコーディング方式及び／またはコードレートをさらに含み、
前記配置ユニットが、パイロットの時間領域密度を、システム要求情報に対応するプリセット時間領域密度範囲内にあるように配置した場合、さらに配置完成後にコーディング方式及び／またはコードレートに対応するプリセット時間領域調整値に基づいて、微調整を行い、
前記配置ユニットが、パイロットの周波数領域密度を、システム要求情報に対応するプリセット周波数領域密度範囲内にあるように配置した場合、さらに配置完成後にコーディング方式及び／またはコードレートに対応するプリセット周波数領域調整値に基づいて、微調整を行うことを特徴とする請求項１９に記載の装置。
【請求項２１】
前記システム要求情報は、変調フォーマット、コーディング方式及びコードレートの中の少なくとも１つを含み、
変調オーダーが高いほど、対応するプリセット時間領域密度範囲内の時間領域密度が大きく、かつ対応するプリセット周波数領域密度範囲内の周波数領域密度が大きく、
コードワードエラー訂正能力が高いほど、対応するプリセット時間領域密度範囲内の時間領域密度が小さく、かつ対応するプリセット周波数領域密度範囲内の周波数領域密度が小さく、
コードレートが高いほど、対応するプリセット時間領域密度範囲内の時間領域密度が大きく、かつ対応するプリセット周波数領域領域内の周波数領域密度が大きいことを特徴とする請求項１５に記載の装置。
【請求項２２】
前記配置ユニットが、パイロットの時間領域密度を、システム要求情報に対応するプリセット時間領域密度範囲内にあるように配置することは、パイロットの時間領域密度を、変調オーダー、コードワードエラー訂正能力とコードレートの中の少なくとも１つに対応するプリセット時間領域密度範囲内にあるように配置することであり
前記配置ユニットが、パイロットの周波数領域密度を、システム要求情報に対応するプリセット周波数領域密度範囲内にあるように配置することは、パイロットの周波数領域密度を、変調オーダー、コードワードエラー訂正能力とコードレートの中の少なくとも１つに対応するプリセット周波数領域密度範囲内にあるように配置することであること特徴とする請求項２１に記載の装置。
【請求項２３】
前記配置ユニットには、
リソースブロックにおいて、所定の直交周波数分割多重ＯＦＤＭシンボルを開始挿入位置と設定し、パイロットの時間領域密度配置結果に基づいて、挿入するパイロットのＯＦＤＭシンボルを確定してから、それぞれの挿入するパイロットのＯＦＤＭシンボルに対して、所定のサブキャリアを開始挿入位置とし、パイロットの周波数領域密度配置結果に基づいて、パイロットを挿入するセッティングモジュールを含むことを特徴とする請求項１５に記載の装置。
【請求項２４】
前記配置ユニットには、
リソースブロックにおいて、所定のＯＦＤＭシンボルを開始挿入位置と設定し、パイロットの時間領域密度配置結果に基づいて、挿入するパイロットのＯＦＤＭシンボルを確定してから、それぞれの挿入するパイロットのＯＦＤＭシンボルに対して、所定のサブキャリアでパイロットを挿入するセッティングモジュールを含むことを特徴とする請求項１５に記載の装置。
【請求項２５】
前記配置ユニットには、
リソースブロックにおいて、所定のサブキャリアを開始挿入位置と設定し、パイロットの周波数領域密度配置結果に基づいて、挿入するパイロットのサブキャリアを確定してから、それぞれの挿入するパイロットのサブキャリアに対して、所定のＯＦＤＭシンボルでパイロットを挿入するセッティングモジュールを含むことを特徴とする請求項１５に記載の装置。
【請求項２６】
前記送信ユニットは、
通信相手側へ送信した信号にパイロット配置結果を示すための情報を担持するか、または、
制御チャンネルで通信相手側へパイロット配置結果を示すシグナリングを送信することを特徴とする請求項１４に記載の装置。
【発明の詳細な説明】
【技術分野】
【０００１】
本発明は、出願日が２０１１年３月２５日、出願番号が２０１１１００７４５９８．５、発明の名称が「無線通信システムにおける復調パイロットの調整方法及びシステム」である中国先行出願の優先権を主張するものであり、当該先行出願の全部内容は本発明に表される。
【０００２】
本発明は、出願日が２０１１年４月２日、出願番号が２０１１１００８３２０９．５、発明の名称が「無線通信システムにおける復調パイロットの調整方法及びシステム」である中国先行出願の優先権を主張するものであり、当該先行出願の全部内容は本発明に表される。
【０００３】
本発明は、出願日が２０１１年５月１９日、出願番号が２０１１１０１３０１９４．３、発明の名称が「通信システム」である中国先行出願の優先権を主張するものであり、当該先行出願の全部内容は本発明に表される。
【０００４】
本発明は無線通信技術分野に属し、具体的に、無線通信システムにおけるパイロットの配置方法及び装置に関するものである。
【背景技術】
【０００５】
直交周波数分割多重（ OFDM 、Orthogonal Frequency Division Multiplexing）技術は、低複雑度で広帯域モバイルチャンネルの周波数選択的なフェージングに対抗されていたため、OFDM技術が様々な広帯域移動通信システムにおいて普及されている。OFDM各データのサブキャリアシンボルを相関検出するために、パイロットはシステムにおいて特に重要な役割を果たす。受信機はパイロットシンボルにより、無線チャンネルHを推定し、イコライザまたは復調器によるチャンネルの等化またはデータシンボルの相関検出を補助する。相関検出または復調機能に加え、システムはパイロットにより無線チャンネル品質またはステータスを測定し、スケジューラによる周波数選択的なスケジューリング、リンク適応などの機能を補助する。
【０００６】
多入力多出力（MIMO 、Multiple-Input Multiple-Output）マルチアンテナ技術は、無線伝搬路の空間散乱特性を効果的に利用して無線通信システムの信頼性と容量を向上させるため、様々な無線システムにおいても多く普及、適用されていた。MIMO-OFDM技術は、広帯域移動通信システムの標準的な構成となっている。近年、MIMO-OFDMシステムは、パイロットの機能がより細かくなってきた。例えば、ロングタームエボリューションLTE-Advancedのシステムは、特にパイロットと測定パイロットが設けられ、それぞれシステムの相関検出及びチャンネル測定の機能に用いられる。このように設計される理由は、MIMOシステムで利用されたマルチアンテナプリコーディング技術が、特に受信機がプリコーディング行列を知らない時に、パイロットがデータシンボルと一緒にプリコーディングされなければならないが、プリコーディング自体がある程度でモバイルチャンネル周波数領域の特性を変更するため、パイロットの測定とパイロットの機能との分離が必要となるためである。
【０００７】
従来の各種の移動通信システムや無線LANシステムにおいて、パイロットは、通常、特定のパターンでシステムに固定して配置されている。一例としてLTE-Advancedのシステムは、各時間周波数リソースブロック（RB、Resource Block） に、図１に示すようにパイロットが配置され、その内のLTEシステムにおける物理ダウンリンク制御チャンネル（PDCCH）がシステム全体のアップリンクおよびダウンリンク伝送に各種のリソースを配分し、システムに対してキーとなるようなスケジューリング役割を果たしており、物理ダウンリンク共有チャンネル（PDSCH）は、伝送トラフィックまたはプレーンシグナリング制御に用いられ、CRSは共通パイロットであり、DMRSは専用パイロットである。空間並列伝送によるデータストリームは、パイロットのポート数が異なるが、パイロットの時間領域の密度および周波数領域の密度は、システム仕様における既に特定された一定値である。
【０００８】
802.11無線LANシステムでは、パイロットは同様に各物理フレームヘッダーに固定され、即ち、ロングトレーニングシーケンスとなる。今回の伝送周期の長さ、伝搬環境や伝送のフォーマットにかかわらず、パイロット配置は変更されていない。
【０００９】
周知のように、モバイルチャンネルは、複雑で多様であり、異なる伝搬環境では、モバイルチャンネルの周波数選択的なフェージング、時間選択的なフェージング及びスペース選択的なフェージングは、いずれもかなり異なるものである。固定されたパイロットパターンを利用することは、複雑で多様な移動通信環境への適応に不利であり、ひいては、システム容量に対してある程度の損失をもたらす。一例として、LTE-Advancedのシステムは、端末が屋内環境で動作している時、低速移動のため、モバイルチャンネルに長い相関時間（>10ｍｓ）を持たせる。しかしながら、相関時間にかかわらず、 LTE-Aシステムのパイロットはそれぞれのサブフレーム（１ｍｓ）内に絶えず重複してしまう。また、802.11システムは、例として、システムが屋外ホットスポットで動作している時、車の運動のような周囲環境の急激な変化により、端末が静止している場合であっても、アクセスポイント（AP）と端末の間のチャンネルが依然としてドップラースプレッドがあり、こうして時間選択的なフェージングを形成してしまう。しかしながら、環境の変化にかかわらず、802.11システムのパイロット機能は、物理フレームにおける位置が固定の長いトレーニングシーケンスで担う。このような固定パイロットは、環境の変化に適応できないものである。
【発明の概要】
【００１０】
本発明は、適応的にパイロットを配置でき、システム性能の向上させる無線通信システムにおけるパイロットの配置方法及び装置を提供する。
【００１１】
本発明に係る技術案は、以下のように実現される。
【００１２】
無線通信システムにおけるパイロットの配置方法であって、当該方法は、現在の無線チャンネル特徴パラメータ、通信相手側の機器能力情報とシステム要求情報の中の少なくとも１つに基づいて、伝送プロセスにおいて伝送に対して、リアルタイムでパイロットを配置すること、
配置結果を通信相手側に送信することを含む。
【００１３】
１つの実施例において、前記リアルタイムでパイロットを配置することは、
パイロットの時間領域密度を、現在の無線チャンネル特徴パラメータ、通信相手側の機器能力情報とシステム要求情報の中の少なくとも１つに対応するプリセット時間領域密度範囲内にあるように配置すること、及び／または、
パイロットの周波数領域密度を、現在の無線チャンネル特徴パラメータ、通信相手側の機器能力情報とシステム要求情報の中の少なくとも１つに対応するプリセット周波数領域密度範囲内にあるように配置することを含む。
【００１４】
好ましくは、前記無線チャンネル特徴パラメータは、無線チャンネル相関帯域幅と無線チャンネル相関時間を含み、
無線チャンネル相関帯域幅が広いほど、対応するプリセット周波数領域密度範囲内の周波数領域密度が小さく、
無線チャンネル相関時間が長いほど、対応するプリセット時間領域密度範囲内の時間領域密度が小さい。
【００１５】
好ましくは、前記通信相手側の機器能力情報は、周波数同期精度及び／またはサンプリング位相同期精度を含み、
周波数同期精度が高いほど、対応するプリセット時間領域密度範囲内の時間領域密度が小さく、かつ対応するプリセット周波数領域密度範囲内の周波数領域密度が小さく、
サンプリング位相同期精度が高いほど、対応するプリセット時間領域密度範囲内の時間領域密度が小さく、かつ対応するプリセット周波数領域密度範囲内の周波数領域密度が小さい。
【００１６】
好ましくは、パイロットの時間領域密度を、通信相手側の機器能力情報に対応するプリセット時間領域密度範囲内にあるように配置することは、パイロットの時間領域密度を、周波数同期精度とサンプリング位相同期精度の少なくとも１つに対応するプリセット時間領域密度範囲内にあるように配置することであり、
パイロットの周波数領域密度を、通信相手側の機器能力情報に対応するプリセット周波数領域密度範囲内にあるように配置することは、パイロットの周波数領域密度を、周波数同期精度とサンプリング位相同期精度の少なくとも１つに対応するプリセット周波数領域密度範囲内にあるように配置することである。
【００１７】
好ましくは、前記システム要求情報は変調フォーマットを含み、
変調オーダーが高いほど、対応するプリセット時間領域密度範囲内の時間領域密度が大きく、かつ対応するプリセット周波数領域密度範囲内の周波数領域密度が大きい。
【００１８】
好ましくは、前記システム要求情報はコーディング方式及び／またはコードレートをさらに含み、
パイロットの時間領域密度を、システム要求情報に対応するプリセット時間領域密度範囲内にあるように配置した場合、さらに配置完成後にコーディング方式及び／またはコードレートに対応するプリセット時間領域調整値に基づいて、微調整を行い、
パイロットの周波数領域密度を、システム要求情報に対応するプリセット周波数領域密度範囲内にあるように配置した場合、さらに配置完成後にコーディング方式及び／またはコードレートに対応するプリセット周波数領域調整値に基づいて、微調整を行う。
【００１９】
好ましくは、前記システム要求情報は、変調フォーマット、コーディング方式及びコードレートの中の少なくとも１つを含み、
変調オーダーが高いほど、対応するプリセット時間領域密度範囲内の時間領域密度が大きく、かつ対応するプリセット周波数領域密度範囲内の周波数領域密度が大きく、
コードワードエラー訂正能力が高いほど、対応するプリセット時間領域密度範囲内の時間領域密度が小さく、かつ対応するプリセット周波数領域密度範囲内の周波数領域密度が小さく、
コードレートが高いほど、対応するプリセット時間領域密度範囲内の時間領域密度が大きく、かつ対応するプリセット周波数領域領域内の周波数領域密度が大きい。
【００２０】
好ましくは、パイロットの時間領域密度を、システム要求情報に対応するプリセット時間領域密度範囲内にあるように配置することは、パイロットの時間領域密度を、変調オーダー、コードワードエラー訂正能力とコードレートの中の少なくとも１つに対応するプリセット時間領域密度範囲内にあるように配置することであり、
パイロットの周波数領域密度を、システム要求情報に対応するプリセット周波数領域密度範囲内にあるように配置することは、パイロットの周波数領域密度を、変調オーダー、コードワードエラー訂正能力とコードレートの中の少なくとも１つに対応するプリセット周波数領域密度範囲内にあるように配置することである。
【００２１】
好ましくは、パイロットの時間領域と周波数領域密度を配置する時、さらに、
リソースブロックにおいて、所定の直交周波数分割多重OFDMシンボルを開始挿入位置と配置し、パイロットの時間領域密度配置結果に基づいて、挿入するパイロットのOFDMシンボルを確定してから、それぞれの挿入するパイロットのOFDMシンボルに対して、所定のサブキャリアを開始挿入位置とし、パイロットの周波数領域密度配置結果に基づいて、パイロットを挿入することを含む。
【００２２】
好ましくは、パイロットの時間領域密度を配置する時、さらに、
リソースブロックにおいて、所定のOFDMシンボルを開始挿入位置と配置し、パイロットの時間領域密度配置結果に基づいて、挿入するパイロットのOFDMシンボルを確定してから、それぞれの挿入するパイロットのOFDMシンボルに対して、所定のサブキャリアでパイロットを挿入することを含む。
【００２３】
好ましくは、パイロットの周波数領域密度を配置する時、さらに、
リソースブロックにおいて、所定のサブキャリアを開始挿入位置と配置し、パイロットの周波数領域密度配置結果に基づいて、挿入するパイロットのサブキャリアを確定してから、それぞれの挿入するパイロットのサブキャリアに対して、所定のOFDMシンボルでパイロットを挿入することを含むことを特徴とする請求項２に記載の方法。
【００２４】
１つの実施例において、配置結果を通信相手側に送信することは、具体的に、
通信相手側へ送信した信号にパイロット配置結果を示すための情報を担持すること、または、
制御チャンネルで通信相手側へパイロット配置結果を示すシグナリングを送信することを含む。
【００２５】
無線通信システムにおけるパイロットの配置装置であって、当該装置は、現在の無線チャンネル特徴パラメータ、通信相手側の機器能力情報とシステム要求情報の中の少なくとも１つに基づいて、伝送プロセスにおいて異なる伝送に対して、リアルタイムでパイロットを配置する配置ユニットと、
前記配置ユニットの配置結果を通信相手側に送信する送信ユニットと含む。
【００２６】
１つの実施例において、前記配置ユニットは、
パイロットの時間領域密度を、現在の無線チャンネル特徴パラメータ、通信相手側の機器能力情報とシステム要求情報の中の少なくとも１つに対応するプリセット時間領域密度範囲内にあるように配置し、及び／または、
パイロットの周波数領域密度を、現在の無線チャンネル特徴パラメータ、通信相手側の機器能力情報とシステム要求情報の中の少なくとも１つに対応するプリセット周波数領域密度範囲内にあるように配置する。
【００２７】
好ましくは、前記無線チャンネル特徴パラメータは、無線チャンネル相関帯域幅と無線チャンネル相関時間を含み、
無線チャンネル相関帯域幅が広いほど、対応するプリセット周波数領域密度範囲内の周波数領域密度が小さく、
無線チャンネル相関時間が長いほど、対応するプリセット時間領域密度範囲内の時間領域密度が小さい。
【００２８】
好ましくは、前記通信相手側の機器能力情報は、周波数同期精度及び／またはサンプリング位相同期精度を含み、
周波数同期精度が高いほど、対応するプリセット時間領域密度範囲内の時間領域密度が小さく、かつ対応するプリセット周波数領域密度範囲内の周波数領域密度が小さく、
サンプリング位相同期精度が高いほど、対応するプリセット時間領域密度範囲内の時間領域密度が小さく、かつ対応するプリセット周波数領域密度範囲内の周波数領域密度が小さい。
【００２９】
好ましくは、前記配置ユニットが、パイロットの時間領域密度を、通信相手側の機器能力情報に対応するプリセット時間領域密度範囲内にあるように配置することは、パイロットの時間領域密度を、周波数同期精度とサンプリング位相同期精度の少なくとも１つに対応するプリセット時間領域密度範囲内にあるように配置することであり、
前記配置ユニットが、パイロットの周波数領域密度を、通信相手側の機器能力情報に対応するプリセット周波数領域密度範囲内にあるように配置することは、パイロットの周波数領域密度を、周波数同期精度とサンプリング位相同期精度の少なくとも１つに対応するプリセット周波数領域密度範囲内にあるように配置することである。
【００３０】
好ましくは、前記システム要求情報は変調フォーマットを含み、
変調オーダーが高いほど、対応するプリセット時間領域密度範囲内の時間領域密度が大きく、かつ対応するプリセット周波数領域密度範囲内の周波数領域密度が大きい。
【００３１】
好ましくは、前記システム要求情報はコーディング方式及び／またはコードレートをさらに含み、
前記配置ユニットが、パイロットの時間領域密度を、システム要求情報に対応するプリセット時間領域密度範囲内にあるように配置した場合、さらに配置完成後にコーディング方式及び／またはコードレートに対応するプリセット時間領域調整値に基づいて、微調整を行い、
前記配置ユニットが、パイロットの周波数領域密度を、システム要求情報に対応するプリセット周波数領域密度範囲内にあるように配置した場合、さらに配置完成後にコーディング方式及び／またはコードレートに対応するプリセット周波数領域調整値に基づいて、微調整を行う。
【００３２】
好ましくは、前記システム要求情報は、変調フォーマット、コーディング方式及びコードレートの中の少なくとも１つを含み、
変調オーダーが高いほど、対応するプリセット時間領域密度範囲内の時間領域密度が大きく、かつ対応するプリセット周波数領域密度範囲内の周波数領域密度が大きく、
コードワードエラー訂正能力が高いほど、対応するプリセット時間領域密度範囲内の時間領域密度が小さく、かつ対応するプリセット周波数領域密度範囲内の周波数領域密度が小さく、
コードレートが高いほど、対応するプリセット時間領域密度範囲内の時間領域密度が大きく、かつ対応するプリセット周波数領域領域内の周波数領域密度が大きい。
【００３３】
好ましくは、前記配置ユニットが、パイロットの時間領域密度を、システム要求情報に対応するプリセット時間領域密度範囲内にあるように配置することは、パイロットの時間領域密度を、変調オーダー、コードワードエラー訂正能力とコードレートの中の少なくとも１つに対応するプリセット時間領域密度範囲内にあるように配置することであり、
前記配置ユニットが、パイロットの周波数領域密度を、システム要求情報に対応するプリセット周波数領域密度範囲内にあるように配置することは、パイロットの周波数領域密度を、変調オーダー、コードワードエラー訂正能力とコードレートの中の少なくとも１つに対応するプリセット周波数領域密度範囲内にあるように配置することである。
【００３４】
好ましくは、前記配置ユニットは、
リソースブロックにおいて、所定の直交周波数分割多重OFDMシンボルを開始挿入位置とし、パイロットの時間領域密度配置結果に基づいて、挿入するパイロットのOFDMシンボルを確定してから、それぞれの挿入するパイロットのOFDMシンボルに対して、所定のサブキャリアを開始挿入位置とし、パイロットの周波数領域密度配置結果に基づいて、パイロットを挿入するセッティングモジュールを含む。
【００３５】
好ましくは、前記配置ユニットは、
リソースブロックにおいて、所定のOFDMシンボルを開始挿入位置と設定し、パイロットの時間領域密度配置結果に基づいて、挿入するパイロットのOFDMシンボルを確定してから、それぞれの挿入するパイロットのOFDMシンボルに対して、所定のサブキャリアでパイロットを挿入するセッティングモジュールを含む。
【００３６】
好ましくは、前記配置ユニットは、
リソースブロックにおいて、所定のサブキャリアを開始挿入位置と設定し、パイロットの周波数領域密度配置結果に基づいて、挿入するパイロットのサブキャリアを確定してから、それぞれの挿入するパイロットのサブキャリアに対して、所定のOFDMシンボルでパイロットを挿入するセッティングモジュールを含む。
【００３７】
１つの実施例において、前記送信ユニットは、
通信相手側へ送信した信号にパイロット配置結果を示すための情報を担持するか、または、
制御チャンネルで通信相手側へパイロット配置結果を示すシグナリングを送信する。
【００３８】
上記のように、本発明によるパイロットの調整技術案は、機器能力及びシステム要求、送信機と受信機の間のチャンネル特徴に基づいて、異なる伝送に適正なパイロット数を配置して、送信機と受信機の間の無線伝送環境が変わった時、パイロット配置も変化する。本発明によれば、機器性能及びシステム要求によってパイロットの配置を調整できるだけではなく、無線伝送環境の変化に応じてパイロット配置を変更することができる。これによって、パイロットの配置が通信リンクの変化に適応するようにし、伝送の信頼性の向上に資するとともに、システム平均容量も増加できる。
【図面の簡単な説明】
【００３９】
【図１】は、それぞれの時間周波数リソースブロックにおける従来技のＬＴＥ−Ａｄｖａｎｃｅｄシステムのパイロット配置の模式図である。
【図２】は、本発明に係る無線通信システムにおけるパイロットの配置方法のフロー図である。
【図３】は、本発明の実施例で配置される１種のパイロットの模式図である。
【図４】は、本発明の実施例に係る伝送フレームの構造の模式図である。
【図５】は、本発明の別の実施例で配置される１種のパイロットの模式図である。
【図６】は、本発明の実施例に係るパイロットの配置装置の構造の模式図である。
【発明を実施するための形態】
【００４０】
従来技術の欠点に鑑みて、本発明は、移動通信環境の変化、機器能力及びシステム要求に適応し、パイロットの配置を行うことができる無線通信システムにおけるパイロットの配置方法を提供する。当該方法は各種の無線通信システムに適用する。
【００４１】
本発明の基本的な思想は次の通りである。現在の通信相手側の機器能力情報、システム要求情報、及び送信機と受信機の間の無線チャンネル特徴の中の少なくとも１つに基づいて、伝送プロセスにおいて異なる伝送に対して、リアルタイムでパイロットを配置する。
【００４２】
図２を参照すると、本発明に係る無線通信システムにおけるパイロットの配置方法は、次のようなステップを含む。
【００４３】
ステップS01、現在の無線チャンネル特徴パラメータ、通信相手側の機器能力情報とシステム要求情報の中の少なくとも１つに基づいて、伝送プロセスにおいて異なる伝送に対して、リアルタイムでパイロットを配置する。
【００４４】
異なる伝送は、異なる通信相手側に対する伝送、または同じ通信相手側に対する異なる回数の伝送等の各種の情況を含む。
【００４５】
ステップS02、配置結果を通信相手側に送信する。
【００４６】
好ましい実施例として、ステップS01におけるリアルタイムでパイロットを配置することは、パイロットの時間領域密度及び／または周波数領域密度を配置することを含む。パイロットの時間領域密度のみを配置する時は、パイロットの周波数領域密度は予め配置され固定不変のものにすることができ、パイロットの周波数領域密度を配置する時は、パイロットの時間領域密度は予め配置され固定不変のものにすることができる。
【００４７】
さらに、予め異なる無線チャンネル特徴パラメータに異なる時間領域密度範囲と周波数領域範囲を設定し、異なる機器能力情報に異なる時間領域密度範囲と周波数領域範囲を設定し、異なるシステム要求情報に異なる時間領域密度範囲と周波数領域範囲を設定する。それぞれの時間領域密度範囲と周波数領域密度範囲には、いずれも１つ以上の具体的な密度を含む。
【００４８】
これをもとに、パイロットの時間領域密度を配置する時、パイロットの時間領域密度を、現在の無線チャンネル特徴パラメータ、通信相手側の機器能力情報とシステム要求情報の中の少なくとも１つに対応するプリセット時間領域密度範囲内にあるように配置する。パイロットの周波数領域密度を配置する時、パイロットの周波数領域密度を、現在の無線チャンネル特徴パラメータ、通信相手側の機器能力情報とシステム要求情報の中の少なくとも１つに対応するプリセット周波数領域密度範囲内にあるように配置する。
【００４９】
具体的には、無線チャンネル特徴パラメータ、通信相手側の機器能力情報とシステム要求の中のいずれか１項のみに基づいてパイロットを配置する場合、
パイロットの時間領域密度を配置する時、パイロットの時間領域密度を、準拠する情報に対応するプリセット時間領域密度範囲内にあるように配置し、
パイロットの周波数領域密度を配置する時、パイロットの周波数領域密度を、準拠する情報に対応するプリセット周波数領域密度範囲内にあるように配置する。
【００５０】
同時に無線チャンネル特徴パラメータ、通信相手側の機器能力情報とシステム要求の2項以上に基づいてパイロットを配置する場合、
パイロットの時間領域密度を配置する時、先に準拠する２項以上の情報に対応するプリセット時間領域密度範囲をそれぞれ確定し、確定された２つ以上の密度範囲が類似または同一、例えば２つの密度範囲に共通部分が存在すれば、パイロットの時間領域密度を、同時に準拠する２項の情報に対応するプリセット時間領域密度範囲内にあるように配置し、確定された２つ以上の密度範囲の差が非常に大きい、例えば２つの密度範囲に共通部分が存在しなければ、実用の要求または所定の準則に基づいて１つの密度範囲を選択し、パイロットの時間領域密度を選択された密度範囲内にあるように配置する。
【００５１】
パイロットの周波数領域密度を配置する時、先に準拠する２項以上の情報に対応するプリセット周波数領域密度範囲をそれぞれ確定し、確定された２つ以上の密度範囲が類似または同一、例えば２つの密度範囲に共通部分が存在すれば、パイロットの周波数領域密度を、同時に準拠する２項の情報に対応するプリセット周波数領域密度範囲内にあるように配置し、確定された２つ以上の密度範囲の差が非常に大きい、例えば２つの密度範囲に共通部分が存在しなければ、実用の要求または所定の準則に基づいて１つの密度範囲を選択し、パイロットの周波数領域密度を選択された密度範囲内にあるように配置する。
【００５２】
簡単な例を挙げると、例えば、同時に無線チャンネル特徴パラメータとシステム要求情報に基づいてパイロットの時間領域密度を配置する場合、無線チャンネル特徴パラメータに基づいて１６個のOFDMシンボルごとに１つのパイロットを挿入し、システム要求情報に基づいて８個のOFDMシンボルごとに１つのパイロットを挿入し、実用の要求または所定の準則に基づいて、最終的にパイロットの時間領域密度を、８個のOFDMシンボルごとに1つのパイロットを挿入するように配置する。
【００５３】
無線チャンネル特徴パラメータ、通信相手側の機器能力情報とシステム要求情報はそれぞれ各種の具体的なパラメータを含むことができる。以下に、これらの具体的なパラメータに基づいて、リアルタイムでパイロットを配置する各種の実施例を説明する。
【００５４】
好ましい実施例として、無線チャンネル特徴パラメータは、無線チャンネル相関時間と無線チャンネル相関帯域幅を含むことができる。無線チャンネル相関帯域幅が広いほど、対応するプリセット周波数領域密度範囲内の周波数領域密度が小さく、無線チャンネル相関時間が長いほど、対応するプリセット時間領域密度範囲内の時間領域密度が小さい。
【００５５】
これをもとに、現在の無線チャンネル特徴パラメータのみに基づいてパイロットを配置する場合、リアルタイムでパイロットを配置することは、
パイロットの時間領域密度を配置する時、パイロットの時間領域密度を、現在の無線チャンネル相関時間に対応するプリセット時間領域密度範囲内にあるように配置すること、
パイロットの周波数領域密度を配置する時、パイロットの周波数領域密度を、現在の無線チャンネル相関帯域幅に対応するプリセット周波数領域密度範囲内にあるように配置することを含む。
【００５６】
好ましい実施例として、通信相手側の機器能力情報は、周波数同期精度及び／またはサンプリング位相同期精度を含むことができる。周波数同期精度が高いほど、対応するプリセット時間領域密度範囲内の時間領域密度が小さく、かつ対応するプリセット周波数領域密度範囲内の周波数領域密度が小さく、サンプリング位相同期精度が高いほど、対応するプリセット時間領域密度範囲内の時間領域密度が小さく、かつ対応するプリセット周波数領域密度範囲内の周波数領域密度が小さい。
【００５７】
これをもとに、現在の通信相手側の機器能力情報のみに基づいて、パイロットを配置する場合、リアルタイムでパイロットを配置することは、以下を含む。
【００５８】
周波数同期精度とサンプリング位相同期精度のいずれか１つのみに基づいてパイロットを配置する場合、
パイロットの時間領域密度を配置する時、パイロットの時間領域密度を、準拠する当該項目情報に対応するプリセット時間領域密度範囲内にあるように配置し、パイロットの周波数領域密度を配置する時、パイロットの周波数領域密度を、準拠する当該項目情報に対応するプリセット周波数領域密度範囲内にあるように配置する。
【００５９】
同時に周波数同期精度とサンプリング位相同期精度に基づいてパイロットを配置する場合、
パイロットの時間領域密度を配置する時、先に現在の周波数同期精度とサンプリング位相同期精度に対応するプリセット時間領域密度範囲をそれぞれ確定し、確定された２つの密度範囲が類似または同一、例えば２つの密度範囲に共通部分が存在すれば、パイロットの時間領域密度を同時に周波数同期精度とサンプリング位相同期精度に対応するプリセット時間領域密度範囲内にあるように配置し、確定された２つの密度範囲差が非常に大きい、例えば２つの密度範囲に共通部分が存在しなければ、実用の要求または所定の準則に基づいて、１つの密度範囲を選択してから、パイロットの時間領域密度をここで選択された密度範囲内にあるように配置する。
【００６０】
パイロットの周波数領域密度を配置する時、先に現在の周波数同期精度とサンプリング位相同期精度が対応するプリセット周波数領域密度範囲をそれぞれ確定し、確定された２つの密度範囲が類似または同一、例えば２つの密度範囲に共通部分が存在すれば、パイロットの周波数領域密度を同時に周波数同期精度とサンプリング位相同期精度が対応するプリセット周波数領域密度範囲内にあるように配置し、確定された２つの密度範囲差が非常に大きい、例えば２つの密度範囲に共通部分が存在しなければ、実用の要求または所定の準則に基づいて、１つの密度範囲を選択してからパイロットの周波数領域密度をここで選択された密度範囲内にあるように配置する。
【００６１】
簡単な例を挙げると、上記の周波数同期精度とサンプリング位相同期精度に異なるクロックソースを採用すると、精度差が非常に大きくなる可能性があり、パイロットの時間領域密度の配置を例にすれば、周波数同期精度とサンプリング位相同期精度に対応するプリセット時間領域密度範囲の差が非常に大きいケースが生じ、この時、精度の悪いつに対応するプリセット時間領域密度範囲を選択してパイロットを配置することができる。
【００６２】
好ましい実施例として、システム要求情報は変調フォーマットを含み、変調フォーマットは具体的に変調オーダーを指す。変調オーダーが高いほど、対応するプリセット時間領域密度範囲内の時間領域密度が大きく、かつ対応するプリセット周波数領域密度範囲内の周波数領域密度が大きい。
【００６３】
これをもとに、現在のシステム要求情報のみに基づいて、パイロットを配置する場合、リアルタイムでパイロットを配置することは、
パイロットの時間領域密度を配置する時、パイロットの時間領域密度を変調オーダーに対応するプリセット時間領域密度範囲内にあるように配置すること、
パイロットの周波数領域密度を配置する時、パイロットの周波数領域密度を変調オーダーに対応するプリセット周波数領域密度範囲内にあるように配置することを含む。
【００６４】
さらに、システム要求情報はコーディング方式及び／またはコードレートを含むことができ、そのうち、コーディング方式は具体的にコードワードエラー訂正能力を指し、コードレートは具体的にコーディングコードレートを指す。コードワードエラー訂正能力がプリセット時間領域調整値とプリセット周波数領域調整値に対応し、コードレートがプリセット時間領域調整値とプリセット周波数領域調整値に対応する。ここでいう各種のプリセット調整値はシステムの実際の性能に応じて確定する。
【００６５】
この時、リアルタイムでパイロットを配置するプロセスにおいて、パイロットの時間領域密度を配置する時、変調オーダーに基づいて配置完成後、さらにコーディング方式及び／またはコードレートに対応するプリセット時間領域調整値に基づいて、微調整を行う。パイロットの周波数領域密度を配置する時、変調オーダーに基づいて配置完成後、さらにコーディング方式及び／またはコードレートに対応するプリセット周波数領域調整値に基づいて、微調整を行う。
【００６６】
好ましい実施例として、システム要求情報は変調フォーマット、コーディング方式とコードレートの中の少なくとも1つを含む。そのうち、変調フォーマットは具体的に変調オーダーを指し、コーディング方式は具体的にコードワードエラー訂正能力を指し、コードレートは具体的にコーディングコードレートを指す。変調オーダーが高いほど、対応するプリセット時間領域密度範囲内の時間領域密度が大きく、かつ対応するプリセット周波数領域密度範囲内の周波数領域密度が大きく、コードワードエラー訂正能力が高いほど、対応するプリセット時間領域密度範囲内の時間領域密度が小さく、かつ対応するプリセット周波数領域密度範囲内の周波数領域密度が小さく、コードレートが高いほど、対応するプリセット時間領域密度範囲内の時間領域密度が大きく、かつ対応するプリセット周波数領域領域内の周波数領域密度が大きい。
【００６７】
これをもとに、現在のシステム要求情報のみに基づいて、パイロットを配置する場合、リアルタイムでパイロットを配置することは、以下を含む。
【００６８】
変調フォーマット、コーディング方式とコードレートの中の１項のみに基づいてパイロットを配置する場合、
パイロットの時間領域密度を配置する時、パイロットの時間領域密度を、準拠する当該項目情報に対応するプリセット時間領域密度範囲内にあるように配置する。
【００６９】
パイロットの周波数領域密度を配置する時、パイロットの周波数領域密度を、準拠する当該項目情報に対応するプリセット周波数領域密度範囲内にあるように配置する。
【００７０】
同時に変調フォーマット、コーディング方式とコードレートの中の２項以上に基づいてパイロットを配置する場合、
パイロットの時間領域密度を配置する時、先に準拠する２項以上の情報に対応するプリセット時間領域密度範囲をそれぞれ確定し、確定された２つ以上の密度範囲が類似または同一、例えば確定された２つ以上の密度範囲に共通部分が存在すれば、パイロットの時間領域密度を同時に準拠する両項以上の情報に対応するプリセット時間領域密度範囲内にあるように配置し、確定された２つ以上の密度範囲差が非常に大きい、例えば確定された２つ以上の密度範囲に共通部分が存在しなければ、実用の要求または所定の準則に基づいて１つの密度範囲を選択してから、パイロットの時間領域密度を選択された密度範囲内にあるように配置する。
【００７１】
パイロットの周波数領域密度を配置する時、先にそれぞれ準拠する両項以上の情報に対応するプリセット周波数領域密度範囲を確定する。もし確定された２つ以上の密度範囲が近いと、例えば確定された２つ以上の密度範囲に共通部分が存在すれば、配置パイロットの周波数領域密度を同時に準拠する２つ以上の情報に対応するプリセット周波数領域密度範囲内にあるように配置し、確定された２つ以上の密度範囲差が非常に大きい、例えば確定された２つの以上密度範囲に共通部分が存在しなければ、実用の要求に基づいて１つの密度範囲を選択してから、パイロットの周波数領域密度を選択された密度範囲内にあるように配置する。
【００７２】
本発明に係るパイロットの配置方法は、次のような技術効果を取得する。
【００７３】
第１、通信相手側の機器能力情報に基づいてパイロットを配置する時、伝送信頼性の向上、通信品質の保証に資する。
【００７４】
第２、システム要求情報に基づいてパイロットを配置する時、システム要求の変化に適応し、パイロットのオーバーヘッドの削減を可能にする。
【００７５】
第３、無線チャンネル特徴パラメータに基づいてパイロットを配置する時、パイロットの配置が通信リンク変化に適応できるようにし、より多くのチャンネル環境とアプリケーションシーンに適用する。
【００７６】
本発明の原理、特性と長所を更に明らかにするため、以下に具体的な応用例を合わせて、本発明について詳しく説明する。以下の実施例において、いずれもセンターアクセスポイント（CAP）を配置側とし、ステイション（STA）をCAの通信相手側とし、且つ復調パイロットの配置を例にする。
【００７７】
応用例１
本応用例において、CAPは現在の無線チャンネル特徴パラメータに基づいてパイロットを配置する。
【００７８】
CAPが現在の無線チャンネル特徴パラメータを取得する方式には多くの種類がある。例えば、チャンネル測定によって取得するか、またはSTAとの情報のやり取りによって取得する。
【００７９】
本応用例において、STA1が移動状態にあり、STA2とSTA0が静止状態にあると仮定する。
【００８０】
CAPはチャンネル測定（例えば、ドップラースペクトル測定）を通じてSTA0、STA1、STA2の相関時間がわかり、チャンネル測定（例えば出力遅延スペクトル測定）を通じて、STA0、STA1、STA2の相関帯域幅がわかる。具体的には、移動状態にあるSTA1の無線チャンネル相関時間は、静止状態にあるSTA0とSTA2の無線チャンネル相関時間より小さく、移動状態にあるSTA1の無線チャンネル相関帯域幅は、静止状態にあるSTA0とSTA2の無線チャンネル相関帯域幅より小さい。
【００８１】
現在のパイロットの時間領域密度、及びパイロットの周波数領域密度両方を配置する場合、配置プロセスは以下ステップを含む。
【００８２】
ステップ１：無線チャンネル相関時間に基づいて、パイロットの時間領域密度を配置する。
【００８３】
例えば、時間領域におけるCAPのパイロットに対する配置結果を図３に示す。具体的には、STA1に対し、３２個のOFDMシンボルごとに１グループパイロットを、STA0とSTA2に対し、２５６個のOFDMシンボルごとに１グループのパイロットを配置する。
【００８４】
ステップ２：無線チャンネル相関帯域幅に基づいて、パイロットの周波数領域密度を配置する。
【００８５】
例えば、CAPはSTA1に対し、２個の有用なサブキャリアごとに１グループのパイロットを、STA0とSTA2に対し、４個の有用なサブキャリアごとに１グループのパイロットを配置する。
【００８６】
CAPはリソーススケジューリングを示すための制御チャンネルにおいて、シグナリンビットグ数（例えば：1-2ビット）を設定することで、パイロットの時間領域周期（即ち、OFDMシンボル間隔）とパイロット周波数領域周期（即ち、サブキャリア間隔）を示す。
【００８７】
ダウンリンクデータ伝送を例にすると、CAPがダウンリンク伝送プロセスにおいて配置結果に応じてパイロットを挿入することは次の操作を含む。STAに割り当てられたリソースブロックにおいて、第１のOFDMシンボルを時間領域パイロットの開始挿入位置と設定した後、パイロットの時間領域密度配置結果に基づいて、パイロットを挿入するOFDMシンボルを確定し、その後それぞれの挿入するパイロットのOFDMシンボルに対して、第１のサブキャリアパイロットを開始挿入位置とし、パイロットの周波数領域密度配置結果に基づいて、パイロットを挿入する。
【００８８】
上記の配置プロセスの以外、パイロットの時間領域密度のみを配置するか、またはパイロットの周波数領域密度のみを配置することも可能である。
【００８９】
パイロットの時間領域密度のみを配置すると、CAPはダウンリンクデータ伝送プロセスにおいてパイロットを挿入する時、STAに割り当てられたリソースブロックにおいて、第1のOFDMシンボルを時間領域パイロットの挿入位置とし、パイロットの時間領域密度配置結果に基づいて、挿入するパイロットのOFDMシンボルを確定した後、それぞれの挿入するパイロットのOFDMシンボルに対して、所定のサブキャリアでパイロットを挿入する。
【００９０】
パイロットの周波数領域密度のみを配置すると、CAPはダウンリンクデータ伝送プロセスにおいてパイロットを挿入する時、STAに割り当てられたリソースブロックにおいて、第１のサブキャリアをパイロットの開始挿入位置とし、パイロットの周波数領域密度配置結果に基づいて、挿入するパイロットのサブキャリアを確定した後、それぞれの挿入するパイロットのサブキャリアに対して、所定のOFDMシンボルでパイロットを挿入する。
【００９１】
CAPが挿入されたパイロットは、時間領域で１個または複数の連続OFDMシンボルを占用することが可能である。CAPは時空間ストリーム数に基づいて、挿入するパイロットが時間領域で占用するOFDMシンボル数を確定する。
【００９２】
アップリンク伝送において、STAはCAP通知の配置結果に基づいて、リソースブロック内でパイロットを挿入する。パイロット挿入の具体方式はCAPと同様である。
【００９３】
本応用例において、STAとCAPの間の無線チャンネル状况に基づいて、パイロット配置を調整する。これによって、通信リンク変化に適応可能にし、伝送の信頼性の向上、通信品質の確保に資し、システム平均容量を増やすとともに、より多くのチャンネル環境とアプリケーションシーンに適用する。
【００９４】
応用例２
本応用例において、CAPは通信相手側の機器能力情報に基づいてパイロットを配置する。
【００９５】
CAPはSTA1とSTA2の機器能力のやり取りを行う。同期誤差によるOFDMデータシンボル検出への影響を解消するために、CAPは特定の周期ごとに１グループのパイロットを送信し、同期誤差による相位シフト累積の校正に用いなければならない。図４に示す伝送フレーム構造において、ダウンリンク伝送チャンネルの中にSAT1のために配置したパイロットがある。
【００９６】
CAPが通信相手側の機器能力情報を取得する方式は多くの種類がある。例えば、STAと能力協議を行うことで取得できる。
【００９７】
STA1が低級機器に属すると、そのサンプリング同期、周波同期誤差が大きい。STA2が高級機器に属すると、そのサンプリング同期、周波同期誤差は小さい。サンプリング同期誤差はOFDMシンボルの増加につれて累積する。
【００９８】
現在の周波数同期精度に基づいて、パイロットの時間領域密度と周波数領域密度を配置する場合、配置プロセスは次のステップを含む。
【００９９】
ステップ１：周波数同期精度に基づいて、パイロットの時間領域密度を配置する。
【０１００】
例えば、CAP配置の結果は図５に示すように、具体的には、STA1に対し１６個のOFDMシンボルごとに１グループのパイロットを、STA2に対し５１２個のOFDMシンボルごとに１グループのパイロットを配置する。
【０１０１】
ステップ２：周波数領域において、周波数同期精度に基づいてパイロットを配置する。
【０１０２】
例えば、STA1に対し２個の有用なサブキャリアごとに１グループのパイロットを、STA2に対し４個の有用なサブキャリアごとに１グループのパイロットを配置する。
【０１０３】
CAPはリソーススケジューリングを示すための制御チャンネルにおいて、シグナリンビットグ数（例えば：1-2ビット）を設定することで、パイロットの時間領域周期と周波数領域周期を示す。
【０１０４】
ダウンリンクデータ伝送を例にすると、CAPがダウンリンク伝送プロセスにおいて配置結果に応じてパイロットを挿入することは次の操作を含む。STAに割り当てられたリソースブロックにおいて、第１のOFDMシンボルをパイロットの開始挿入位置とし、パイロットの時間領域密度配置結果に基づいて、挿入するパイロットのOFDMシンボルを確定し、その後それぞれの挿入するパイロットのOFDMシンボルに対して、第１のサブキャリアをパイロットの開始挿入位置とし、パイロットの周波数領域密度配置結果に基づいて、パイロットを挿入する。
【０１０５】
アップリンク伝送において、STAはCAP通知の配置結果に基づいて、リソースブロック内でパイロットを挿入する。パイロット挿入の具体方式はCAPと同様である。
【０１０６】
本応用例において、STAの機器能力情報に基づいて、パイロット配置を調整し、機器能力が異なるSTAに対し、異なるパイロット配置を採用することで、伝送の信頼性の向上、通信品質の確保に資する。
【０１０７】
応用例３
本応用例において、システム要求情報に基づいてパイロットを配置する。システム要求情報はCAP既知の情報である。
【０１０８】
無線通信システムにおけるSTA1はCAPに近く、STA2はCAPから遠い。
【０１０９】
本応用例において、変調オーダーとコードレートのそれぞれに基づいてパイロットを配置すると仮定する。
【０１１０】
ダウンリンク伝送段階において、STA1はCAPに近く、リンク伝送損失が小さく、STA1受信信号の出力が高いため、高次変調方式、例えば64QAMを用いて、データ伝送を行うことができる。STA2はCAPから遠く、リンク伝送損失が大きく、STA2受信信号出力が低いため、低次変調方式、例えばQPSKを用いて、データ伝送を行うことができる。高次変調は低次変調と比べて、チャンネルの快速減衰に対しより敏感であるため、CAPがSTA1に配置するパイロットが相対的に密となり、STA2に配置するパイロットが相対的に稀となる。
【０１１１】
また、チャンネル環境において、STA1が採用するコーディングコードレートは高く、STA2が採用するコーディングコードレートは低いので、このようなコードレートの変化に適応し、通信の信頼性を保証するために、周波数領域と時間領域でSTA1に配置するパイロットが相対的により密となり、即ちパイロット密度が大きくなる。
【０１１２】
本応用例に係る技術案において、システム要求情報に基づいて、パイロットを配置することで、システム要求の変化に適応でき、伝送の信頼性の向上、通信品質の確保に資するとともに、システム平均容量を増やし、パイロットのオーバーヘッドを削減することができる。
【０１１３】
応用例４
本応用例は、CAPがパイロット配置結果を送信する具体方式を提供する。
【０１１４】
無線チャンネル特徴パラメータに対応するプリセット時間領域密度範囲が２つあると仮定すると、そのうち、１つのプリセット時間領域密度範囲内に１つの具体的な時間領域密度を含み、時間領域パイロット間隔０で表し、もう１つのプリセット時間領域密度範囲内にもう１つの具体的な時間領域密度を含み、時間領域パイロット間隔１で表する。時間領域パイロット間隔０は短パイロット間隔（具体的には、いくつかのOFDMシンボルごとに１グループのパイロットを挿入することを意味する）を指す。時間領域パイロット間隔１は長パイロット間隔（具体的には、いくつかのOFDMシンボルごとに１グループのパイロットを挿入することを意味する）を指す。
【０１１５】
通信相手側の機器能力情報及びシステム要求情報にそれぞれ対応するプリセット時間領域密度範囲は上記の無線チャンネル特徴パラメータと同様であると仮定する。
【０１１６】
CAPが、周期的にブロードキャストするブロードキャスト情報フレーム（BCF）で、それぞれ時間領域パイロット間隔０と時間領域パイロット間隔１で示されるOFDMシンボル個数をブロードキャストして、各STAがCAPが所在する無線ネットにアクセスする時、BCF検出により、この２つのパラメータを取得する。
【０１１７】
CAPはあるSTAに対しリアルタイムでパイロットの時間領域密度を配置した後、具体的に制御チャンネルのスケジューリングシグナリングにおける１ビットによって、現在配置したのが時間領域パイロット間隔０であるか、それとも時間領域パイロット間隔１であるかを示す。
【０１１８】
本応用例における無線チャンネル特徴パラメータに対応するプリセット周波数領域密度範囲が３つあると仮定すると、そのうち、第１のプリセットの周波数領域密度範囲に１種の周波数領域密度を含み、周波数領域パイロット周波数パターン１で表し、第２のプリセットの周波数領域密度範囲に１種の周波数領域密度を含み、周波数領域パイロット周波数パターン２で表し、第３のプリセットの周波数領域密度範囲に１種の周波数領域密度を含み、周波数領域パイロット周波数パターン３で表する。上記の周波数領域パイロット周波数パターン１に対応する１つの有用なサブキャリアごとにパイロットを挿入し、周波数領域パイロット周波数パターン２に対応する２つの有用なサブキャリアごとにパイロットを挿入し、周波数領域パイロット周波数パターン３に対応する４つの有用なサブキャリアごとにパイロットを挿入する。
【０１１９】
通信相手側の機器能力情報及びシステム要求情報にそれぞれ対応するプリセット時間領域密度範囲と上記の無線チャンネル特徴パラメータと同様であると仮定する。
【０１２０】
CAPはあるSTAに対しリアルタイムでパイロットの周波数領域密度を配置した後、具体的に制御チャンネルのスケジューリングシグナリングにおける２ビットによって、現在配置したのが周波数領域パイロット周波数パターン１であるか、それとも周波数領域パイロット周波数パターン２であるか、それとも周波数領域パイロット周波数パターン３であるかを示す。
【０１２１】
以上の応用例において、復調パイロットを例にして記載されているが、実際は、本発明の配置方法はその他のタイプのパイロット、例えば探測パイロットなどの配置にも用いられる。
【０１２２】
本発明は、無線通信システムにおけるパイロットの配置装置１００を提供する。図６に示すように、当該装置１００は、
現在の無線チャンネル特徴パラメータ、通信相手側の機器能力情報とシステム要求情報の中の少なくとも１つに基づいて、伝送プロセスにおいて異なる伝送に対し、リアルタイムでパイロットを配置する配置ユニット２０、
配置ユニット２０の配置結果を通信相手側に送信する送信ユニット３０を含む。
【０１２３】
好ましい実施例にとして、装置１００には、無線チャンネル特徴パラメータ、通信相手側の機器能力情報とシステム要求情報の中の少なくとも１つを取得するための取得ユニット１０を含んでもよい。無線チャンネル特徴パラメータを取得する時、取得ユニット１０は具体的に、
送信端と受信端の間の無線チャンネルを測定し、当該無線チャンネル特徴パラメータを取得するための測定ユニット１０ａ、または、
送信端と受信端と情報やり取りを行い、前記無線チャンネル特徴パラメータを取得するための通信ユニット１０ｂを含む。
【０１２４】
好ましい実施例として、配置ユニット２０には、さらに、リソースブロックにおいて、所定の直交周波数分割多重OFDMシンボルを開始挿入位置と設定し、パイロットの時間領域密度配置結果に基づいて、挿入するパイロットのOFDMシンボルを確定してから、それぞれの挿入するパイロットのOFDMシンボルに対して、所定のサブキャリアを開始挿入位置とし、パイロットの周波数領域密度配置結果に基づいて、パイロットを挿入するセッティングモジュール２０ａを含んでもよい。
【０１２５】
好ましい実施例として、配置ユニット２０には、さらに、リソースブロックにおいて、所定のOFDMシンボルを開始挿入位置と設定し、パイロットの時間領域密度配置結果に基づいて、挿入するパイロットのOFDMシンボルを確定してから、それぞれの挿入するパイロットのOFDMシンボルに対して、所定のサブキャリアでパイロットを挿入するセッティングモジュール２０ａを含んでもよい。
【０１２６】
好ましい実施例として、配置ユニット２０には、さらに、リソースブロックにおいて、所定のサブキャリアを開始挿入位置と設定し、パイロットの周波数領域密度配置結果に基づいて、挿入するパイロットのサブキャリアを確定してから、それぞれの挿入するパイロットのサブキャリアに対して、所定のOFDMシンボルでパイロットを挿入するセッティングモジュール２０ａを含んでもよい。
【０１２７】
好ましい実施例として、配置ユニット２０は前記の配置方式に従い操作を行い、送信ユニット３０は前記の送信方式に従い操作を行う。
【０１２８】
本発明は、上記のように、好ましい実施例によって開示されたが、本発明を限定するものではなく、当業者は本発明の精神と範囲を遺脱することなく、変更や修正が可能であるため、本発明の保護範囲は本発明の請求の範囲によって定められる。
【図２】
2014510494.tif 000003
【図６】
2014510494.tif 000004
【図１】
2014510494.tif 000005
【図３】
2014510494.tif 000006
【図４】
2014510494.tif 000007
【図５】
2014510494.tif 000008
【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
現在の無線チャンネル特徴パラメータ、通信相手側の機器能力情報とシステム要求情報の中の少なくとも１つに基づいて、伝送プロセスにおいて異なる伝送に対して、リアルタイムでパイロットを配置すること、
配置結果を通信相手側に送信することを含むことを特徴とする無線通信システムにおけるパイロットの配置方法。
【請求項２】
前記リアルタイムでパイロットを配置することは、
パイロットのタイム領域密度を、現在の無線チャンネル特徴パラメータ、通信相手側の機器能力情報とシステム要求情報の中の少なくとも１つに対応するプリセットタイム領域密度範囲内にあるように配置すること、及び／または、
パイロットの周波数領域密度を、現在の無線チャンネル特徴パラメータ、通信相手側の機器能力情報とシステム要求情報の中の少なくとも１つに対応するプリセット周波数領域密度範囲内にあるように配置することを含むことを特徴とする請求項１に記載の方法。
【請求項３】
前記無線チャンネル特徴パラメータは、無線チャンネル相関帯域幅と無線チャンネル相関時間を含み、
無線チャンネル相関帯域幅が広いほど、対応するプリセット周波数領域密度範囲内の周波数領域密度が小さく、
無線チャンネル相関時間が長いほど、対応するプリセットタイム領域密度範囲内のタイム領域密度が小さいことを特徴とする請求項２に記載の方法。
【請求項４】
前記通信相手側の機器能力情報は、周波数同期精度及び／またはサンプリング位相同期精度を含み、
周波数同期精度が高いほど、対応するプリセットタイム領域密度範囲内のタイム領域密度が小さく、かつ対応するプリセット周波数領域密度範囲内の周波数領域密度が小さく、
サンプリング位相同期精度が高いほど、対応するプリセットタイム領域密度範囲内のタイム領域密度が小さく、かつ対応するプリセット周波数領域密度範囲内の周波数領域密度が小さいことを特徴とする請求項２に記載の方法。
【請求項５】
パイロットのタイム領域密度を、通信相手側の機器能力情報に対応するプリセットタイム領域密度範囲内にあるように配置することは、パイロットのタイム領域密度を、周波数同期精度とサンプリング位相同期精度の少なくとも１つに対応するプリセットタイム領域密度範囲内にあるように配置することであり、
パイロットの周波数領域密度を、通信相手側の機器能力情報に対応するプリセット周波数領域密度範囲内にあるように配置することは、パイロットの周波数領域密度を、周波数同期精度とサンプリング位相同期精度の少なくとも１つに対応するプリセット周波数領域密度範囲内にあるように配置することであることを特徴とする請求項４に記載の方法。
【請求項６】
前記システム要求情報は変調フォーマット、コーディング方式とコードレートの中の少なくとも１つを含み、
変調オーダーが高いほど、対応するプリセットタイム領域密度範囲内のタイム領域密度が大きく、かつ対応するプリセット周波数領域密度範囲内の周波数領域密度が大きく、
コードワードエラー訂正能力が高いほど、対応するプリセットタイム領域密度範囲内のタイム領域密度が小さく、かつ対応するプリセット周波数領域密度範囲内の周波数領域密度が小さく、
コードレートが高いほど、対応するプリセットタイム領域密度範囲内のタイム領域密度が大きく、かつ対応するプリセット周波数領域内の周波数領域密度が大きいことを特徴とする請求項２に記載の方法。
【請求項７】
前記システム要求情報はコーディング方式及び／またはコードレートをさらに含み、
パイロットのタイム領域密度を、システム要求情報に対応するプリセットタイム領域密度範囲内にあるように配置した場合、さらに配置完成後にコーディング方式及び／またはコードレートに対応するプリセットタイム領域調整値に基づいて、微調整を行い、
パイロットの周波数領域密度を、システム要求情報に対応するプリセット周波数領域密度範囲内にあるように配置した場合、さらに配置完成後にコーディング方式及び／またはコードレートに対応するプリセット周波数領域調整値に基づいて、微調整を行うことを特徴とする請求項６に記載の方法。
【請求項８】
パイロットのタイム領域密度を、システム要求情報に対応するプリセットタイム領域密度範囲内にあるように配置することは、パイロットのタイム領域密度を、変調オーダー、コードワードエラー訂正能力とコードレートの中の少なくとも１つに対応するプリセットタイム領域密度範囲内にあるように配置することであり、
パイロットの周波数領域密度を、システム要求情報に対応するプリセット周波数領域密度範囲内にあるように配置することは、パイロットの周波数領域密度を、変調オーダー、コードワードエラー訂正能力とコードレートの中の少なくとも１つに対応するプリセット周波数領域密度範囲内にあるように配置することであること特徴とする請求項６に記載の方法。
【請求項９】
パイロットのタイム領域と周波数領域密度を配置する時、さらに、
リソースブロックにおいて、所定の直交周波数分割多重ＯＦＤＭシンボルを開始挿入位置と設定し、パイロットのタイム領域密度配置結果に基づいて、挿入するパイロットのＯＦＤＭシンボルを確定してから、それぞれの挿入するパイロットのＯＦＤＭシンボルに対して、所定のサブキャリアを開始挿入位置とし、パイロットの周波数領域密度配置結果に基づいて、パイロットを挿入することを含み、
パイロットのタイム領域密度を配置する時、さらに、
リソースブロックにおいて、所定のＯＦＤＭシンボルを開始挿入位置と設定し、パイロットのタイム領域密度配置結果に基づいて、挿入するパイロットのＯＦＤＭシンボルを確定してから、それぞれの挿入するパイロットのＯＦＤＭシンボルに対して、所定のサブキャリアでパイロットを挿入することを含み、
パイロットの周波数領域密度を配置する時、さらに、
リソースブロックにおいて、所定のサブキャリアを開始挿入位置と設定し、パイロットの周波数領域密度配置結果に基づいて、挿入するパイロットのサブキャリアを確定してから、それぞれの挿入するパイロットのサブキャリアに対して、所定のＯＦＤＭシンボルでパイロットを挿入することを含むことを特徴とする請求項２に記載の方法。
【請求項１０】
配置結果を通信相手側に送信することは、具体的に、
通信相手側へ送信した信号にパイロット配置結果を示すための情報を担持すること、または、
制御チャンネルで通信相手側へパイロット配置結果を示すシグナリングを送信することを含むことを特徴とする請求項１に記載の方法。
【請求項１１】
現在の無線チャンネル特徴パラメータ、通信相手側の機器能力情報とシステム要求情報の中の少なくとも１つに基づいて、伝送プロセスにおいて異なる伝送に対して、リアルタイムでパイロットを配置する配置ユニットと、
前記配置ユニットの配置結果を通信相手側に送信する送信ユニットと含むことを特徴とする無線通信システムにおけるパイロットの配置装置。
【請求項１２】
前記配置ユニットは、
パイロットのタイム領域密度を、現在の無線チャンネル特徴パラメータ、通信相手側の機器能力情報とシステム要求情報の中の少なくとも１つに対応するプリセットタイム領域密度範囲内にあるように配置し、及び／または、
パイロットの周波数領域密度を、現在の無線チャンネル特徴パラメータ、通信相手側の機器能力情報とシステム要求情報の中の少なくとも１つに対応するプリセット周波数領域密度範囲内にあるように配置することを特徴とする請求項１１に記載の装置。
【請求項１３】
前記無線チャンネル特徴パラメータは、無線チャンネル相関帯域幅と無線チャンネル相関時間を含み、
無線チャンネル相関帯域幅が広いほど、対応するプリセット周波数領域密度範囲内の周波数領域密度が小さく、
無線チャンネル相関時間が長いほど、対応するプリセットタイム領域密度範囲内のタイム領域密度が小さいことを特徴とする請求項１２に記載の装置。
【請求項１４】
前記通信相手側の機器能力情報は、周波数同期精度及び／またはサンプリング位相同期精度を含み、
周波数同期精度が高いほど、対応するプリセットタイム領域密度範囲内のタイム領域密度が小さく、かつ対応するプリセット周波数領域密度範囲内の周波数領域密度が小さく、
サンプリング位相同期精度が高いほど、対応するプリセットタイム領域密度範囲内のタイム領域密度が小さく、かつ対応するプリセット周波数領域密度範囲内の周波数領域密度が小さいことを特徴とする請求項１２に記載の装置。
【請求項１５】
前記配置ユニットが、パイロットのタイム領域密度を、通信相手側の機器能力情報に対応するプリセットタイム領域密度範囲内にあるように配置することは、パイロットのタイム領域密度を、周波数同期精度とサンプリング位相同期精度の少なくとも１つに対応するプリセットタイム領域密度範囲内にあるように配置することであり、
前記配置ユニットが、パイロットの周波数領域密度を、通信相手側の機器能力情報に対応するプリセット周波数領域密度範囲内にあるように配置することは、パイロットの周波数領域密度を、周波数同期精度とサンプリング位相同期精度の少なくとも１つに対応するプリセット周波数領域密度範囲内にあるように配置することであることを特徴とする請求項１４に記載の装置。
【請求項１６】
前記システム要求情報は変調フォーマット、コーディング方式とコードレートの中の少なくとも１つを含み、
変調オーダーが高いほど、対応するプリセットタイム領域密度範囲内のタイム領域密度が大きく、かつ対応するプリセット周波数領域密度範囲内の周波数領域密度が大きく、
コードワードエラー訂正能力が高いほど、対応するプリセットタイム領域密度範囲内のタイム領域密度が小さく、かつ対応するプリセット周波数領域密度範囲内の周波数領域密度が小さく、
コードレートが高いほど、対応するプリセットタイム領域密度範囲内のタイム領域密度が大きく、かつ対応するプリセット周波数領域内の周波数領域密度が大きいことを特徴とする請求項１２に記載の装置。
【請求項１７】
前記システム要求情報はコーディング方式及び／またはコードレートをさらに含み、
前記配置ユニットが、パイロットのタイム領域密度を、システム要求情報に対応するプリセットタイム領域密度範囲内にあるように配置した場合、さらに配置完成後にコーディング方式及び／またはコードレートに対応するプリセットタイム領域調整値に基づいて、微調整を行い、
前記配置ユニットが、パイロットの周波数領域密度を、システム要求情報に対応するプリセット周波数領域密度範囲内にあるように配置した場合、さらに配置完成後にコーディング方式及び／またはコードレートに対応するプリセット周波数領域調整値に基づいて、微調整を行うことを特徴とする請求項１６に記載の装置。
【請求項１８】
前記配置ユニットが、パイロットのタイム領域密度を、システム要求情報に対応するプリセットタイム領域密度範囲内にあるように配置することは、パイロットのタイム領域密度を、変調オーダー、コードワードエラー訂正能力とコードレートの中の少なくとも１つに対応するプリセットタイム領域密度範囲内にあるように配置することであり
前記配置ユニットが、パイロットの周波数領域密度を、システム要求情報に対応するプリセット周波数領域密度範囲内にあるように配置することは、パイロットの周波数領域密度を、変調オーダー、コードワードエラー訂正能力とコードレートの中の少なくとも１つに対応するプリセット周波数領域密度範囲内にあるように配置することであることを特徴とする請求項１６に記載の装置。
【請求項１９】
前記配置ユニットには、
リソースブロックにおいて、所定の直交周波数分割多重ＯＦＤＭシンボルを開始挿入位置と設定し、パイロットのタイム領域密度配置結果に基づいて、挿入するパイロットのＯＦＤＭシンボルを確定してから、それぞれの挿入するパイロットのＯＦＤＭシンボルに対して、所定のサブキャリアを開始挿入位置とし、パイロットの周波数領域密度配置結果に基づいて、パイロットを挿入するセッティングモジュールを含み、または
前記配置ユニットには、
リソースブロックにおいて、所定のＯＦＤＭシンボルを開始挿入位置と設定し、パイロットのタイム領域密度配置結果に基づいて、挿入するパイロットのＯＦＤＭシンボルを確定してから、それぞれの挿入するパイロットのＯＦＤＭシンボルに対して、所定のサブキャリアでパイロットを挿入するセッティングモジュールを含み、または
前記配置ユニットには、
リソースブロックにおいて、所定のサブキャリアを開始挿入位置と設定し、パイロットの周波数領域密度配置結果に基づいて、挿入するパイロットのサブキャリアを確定してから、それぞれの挿入するパイロットのサブキャリアに対して、所定のＯＦＤＭシンボルでパイロットを挿入するセッティングモジュールを含むことを特徴とする請求項１２に記載の装置。
【請求項２０】
前記送信ユニットは、
通信相手側へ送信した信号にパイロット配置結果を示すための情報を担持するか、または、
制御チャンネルで通信相手側へパイロット配置結果を示すシグナリングを送信することを特徴とする請求項１１に記載の装置。
【国際調査報告】
2014510494.tif 000009
2014510494.tif 000010
2014510494.tif 000011
2014510494.tif 000012